(57)【要約】【課題】フロートスイッチを容易に支持可能なポンプ装置及び排水装置を提供すること。【解決手段】排水装置１００に用いられるポンプ装置１は、シール室１３ａに潤滑剤を供給する供給孔２４ａを有するポンプ１２と、ポンプ１２の上部に固定されたモータ１１と、モータ１１の上部に設けられた電装部１６と、ケーブル４１、円柱状の被支持部５１ａ、被支持部５１ａの軸方向の両端にそれぞれ設けられ、被支持部５１ａの外径よりも被支持部５１ａの径方向に大きい外形状を有する一対のフランジ５１ｂ及び一方のフランジ５１ｂに設けられたケーブルブーツ５１ｃを有する支持具５１、並びに、ケーブル４１の他端に設けられたフロート４３を具備するフロートスイッチ１４と、供給孔２４ａを閉塞するプラグ５４ａ及びプラグ５４ａに一体に設けられたクリップ５２を有する支持プラグ５４と、一方向に長いロッド６２の一方側に複数設けられたクリップ５２が設けられた支持部材５３と、を備える。【選択図】      図１
2018076850.tif 000002
【特許請求の範囲】
【請求項１】
メカニカルシールを収容するシール室、及び、前記シール室に潤滑剤を供給する供給孔を有するポンプと、
前記ポンプの上部に固定されたモータと、
前記モータの上部に設けられた電装部と、
前記電装部に一端が接続され、断面が円形状に構成されたケーブル、前記ケーブルに設けられ、円柱状の被支持部、前記被支持部の軸方向の両端にそれぞれ設けられ、前記被支持部の外径よりも前記被支持部の径方向に大きい外形状を有する一対のフランジ及び一方の前記フランジに設けられたケーブルブーツを有する支持具、並びに、前記ケーブルの他端に設けられたフロートを具備するフロートスイッチと、
前記供給孔を閉塞するプラグ、及び、前記プラグに一体に設けられた前記被支持部を支持するクリップを有する支持プラグと、
一方向に長いロッド、前記ロッドの一方側に複数設けられた前記クリップ、前記ロッドを重力方向に沿って前記電装部の外面に固定する基部と、を有する支持部材と、
を備えることを特徴とするポンプ装置。
【請求項２】
前記支持部材は、前記クリップを３つ有し、
前記ロッドは、他方側に前記基部に支持される位置を案内する表示部を有することを特徴とする請求項１に記載のポンプ装置。
【請求項３】
前記クリップは、前記被支持部を配置可能な曲率半径を有し、その一部が前記被支持部の外径よりも小さい幅で開口する円弧筒状に構成されることを特徴とする請求項２に記載のポンプ装置。
【請求項４】
前記クリップは、前記開口する両端部にそれぞれ設けられたリップを有し、
前記リップは、その幅が前記被支持部の幅よりも大きく構成され、
前記クリップは、前記リップ間を連続する円弧筒状の部位の幅が前記被支持部の幅と同一に構成されることを特徴とする請求項３に記載のポンプ装置。
【請求項５】
前記基部は、前記ロッドを固定する位置を変更可能に構成されることを特徴とする請求項１に記載のポンプ装置。
【請求項６】
ポンプ装置が一対設けられ、
一方の前記ポンプ装置は、前記支持プラグに固定される１つの前記フロートスイッチ及び前記支持部材に設けられた３つの前記クリップの両端側に固定される２つの前記フロートスイッチを有する請求項２乃至請求項５のいずれか一項に記載のポンプ装置であり、
他方の前記ポンプ装置は、前記一方のポンプ装置に隣接して設けられ、前記支持プラグに固定される１つの前記フロートスイッチ及び前記支持部材に設けられた３つの前記クリップの中央に固定される１つの前記フロートスイッチを有する請求項２乃至請求項５のいずれか一項に記載のポンプ装置である、
ことを備えることを特徴とする排水装置。
【請求項７】
前記一対のポンプ装置は汚水槽に設けられ、
前記汚水槽内の水位に基づいて前記一対のポンプ装置を並列運転又は交互運転を行う制御部を備えることを特徴とする請求項６に記載の排水装置。
【発明の詳細な説明】
【技術分野】
【０００１】
本発明は、フロートスイッチにより水位を検出するポンプ装置及び排水装置に関する。
【背景技術】
【０００２】
現在、汚水槽内の汚水等を排水する手段として、水中に設置される所謂水中ポンプと呼ばれるポンプ装置を用いる技術が知られている。このようなポンプ装置は、ポンプ室を有するポンプケーシング内に羽根車が収容されたポンプと、羽根車を回転させるモータを有する。ポンプ装置は、モータにより羽根車を駆動することで、ポンプ室内で羽根車が回転し、ポンプ室内に吸い込んだ液体を増圧して二次側に吐出する。
【０００３】
このようなポンプ装置は、汚水槽内の水位を検出するために、ケーブルにフロートが設けられたフロートスイッチが用いられる。フロートスイッチは、所定の水位でフロートが水面に浮遊し、フロート内のスイッチが切り替えられるように、所定の高さ位置で固定される。そこで、フロートスイッチのケーブルを、ケーブルが配置される溝を有するクランプ及びクランプが固定されるロッドで挟み込んで、ケーブルをロッドに固定するケーブル支持構造が知られている（例えば、特許文献１参照）。
【０００４】
このようなケーブル支持構造は、ケーブルの外径よりもクランプの溝の深さを小さく設定することで、ケーブルがロッドと密着し、ケーブル及びロッド間に大きな摩擦を生じさせて、ケーブルの位置ずれが生じることを防止可能に構成される。
【先行技術文献】
【特許文献】
【０００５】
【特許文献１】実開平７−２５２８２号公報
【発明の概要】
【発明が解決しようとする課題】
【０００６】
上述したケーブル支持構造は、クランプの溝及びロッドの隙間にケーブルを挟んで固定する構成であることから、ケーブルの被覆部材が圧縮された状態でケーブルがロッドに固定される。このため、ケーブルは、被覆部材内の導体素線も固定されることから、フロートスイッチの上下運動時に、導体素線に曲げ応力が加わると言う問題がある。また、フロートスイッチの組立及び水位調整時に、ケーブルの支持位置からフロートまでの長さが、所望の長さと異なる長さでロッドに固定される虞や、ケーブルの高さ位置が誤った高さで固定され、フロートスイッチが所定の間隔で設置されない虞がある。
【０００７】
このような場合、所望の水位でフロートスイッチが切り替えられず、ポンプ装置が誤動作を起こす虞や、ポンプ装置を２台設置して交互運転を行う場合に、交互運転が正常に行われない虞がある。また、固定する部位からフロートまでの長さが所望の長さよりも長いと、フロートが他のフロートと絡まる虞やポンプ装置と干渉する虞があり、フロートスイッチが機能しなくなる虞もある。
【０００８】
このため、フロートスイッチの設置時に、ケーブルの支持位置を計測してロッドに固定する必要がある等、作業性が悪い、という問題があった。
【０００９】
そこで本発明は、フロートスイッチを容易に支持可能なポンプ装置及び排水装置を提供することを目的とする。
【課題を解決するための手段】
【００１０】
前記課題を解決し目的を達成するために、本発明のポンプ装置及び排水装置は次のように構成されている。
【００１１】
本発明の一態様として、ポンプ装置は、メカニカルシールを収容するシール室、及び、前記シール室に潤滑剤を供給する供給孔を有するポンプと、前記ポンプの上部に固定されたモータと、前記モータの上部に設けられた電装部と、前記電装部に一端が接続され、断面が円形状に構成されたケーブル、前記ケーブルに設けられ、円柱状の被支持部、前記被支持部の軸方向の両端にそれぞれ設けられ、前記被支持部の外径よりも前記被支持部の径方向に大きい外形状を有する一対のフランジ及び一方の前記フランジに設けられたケーブルブーツを有する支持具、並びに、前記ケーブルの他端に設けられたフロートを具備するフロートスイッチと、前記供給孔を閉塞するプラグ、及び、前記プラグに一体に設けられた前記被支持部を支持するクリップを有する支持プラグと、一方向に長いロッド、前記ロッドの一方側に複数設けられた前記クリップ、前記ロッドを重力方向に沿って前記電装部の外面に固定する基部と、を有する支持部材と、を備える。
【００１２】
本発明の一態様として、排水装置は、ポンプ装置が一対設けられ、一方の前記ポンプ装置は、前記支持プラグに固定される１つの前記フロートスイッチ及び前記支持部材に設けられた３つの前記クリップの両端側に固定される２つの前記フロートスイッチを有する上記ポンプ装置であり、他方の前記ポンプ装置は、前記一方のポンプ装置に隣接して設けられ、前記支持プラグに固定される１つの前記フロートスイッチ及び前記支持部材に設けられた３つの前記クリップの中央に固定される１つの前記フロートスイッチを有する上記ポンプ装置である、ことを備える。
【発明の効果】
【００１３】
本発明によれば、フロートスイッチを容易に支持可能な排水装置を提供することが可能となる。
【図面の簡単な説明】
【００１４】
【図１】本発明の一実施形態に係る排水装置の構成を一部断面で示す側面図。
【図２】同排水装置に用いられるポンプ装置の構成を一部断面で示す側面図。
【図３】同ポンプ装置に用いられるフロートスイッチ及びケーブル支持構造の支持具の構成を示す側面図。
【図４】同ケーブル支持構造の支持部材の構成を示す側面図。
【図５】同支持部材の構成を示す上面図。
【発明を実施するための形態】
【００１５】
以下、本発明の一実施形態に係る排水装置１００を、図１乃至図５を用いて説明する。  
図１は本発明の一実施形態に係る排水装置１００の構成を一部断面で示す側面図、図２は排水装置１００に用いられるポンプ装置１の構成を一部断面で示す側面図、図３はポンプ装置１に用いられるフロートスイッチ１４及びケーブル支持構造１５の支持具５１の構成を示す側面図、図４はケーブル支持構造１５のクリップ５２及び支持部材５３の構成を示す側面図、図５はクリップ５２及び支持部材５３の構成を示す上面図である。
【００１６】
図１に示すように、排水装置１００は、汚水槽２００等に設置され、異物（汚物等）を含む汚水を送水する。排水装置１００は、一対のポンプ装置１と、ポンプ装置１に接続され、汚水を二次側に排水する排水管１１０と、を備えている。
【００１７】
図１及び図２に示すように、ポンプ装置１は、モータ１１と、モータ１１が上部に固定されるポンプ１２と、モータ１１及びポンプ１２の間に設けられたシール部材１３と、複数のフロートスイッチ１４と、フロートスイッチ１４を支持するケーブル支持構造１５と、電装部１６と、を備えている。一対のポンプ装置１は、フロートスイッチ１４の数が異なる。一方のポンプ装置１Ａは、フロートスイッチ１４が３つ設けられる。他方のポンプ装置１Ｂは、フロートスイッチ１４が２つ設けられる。
【００１８】
モータ１１は、モータケーシング内に固定子と、固定子により回転する回転子と、を備え、回転子に回転軸２１が接続される。モータ１１は、例えば永久磁石モータである。
【００１９】
ポンプ１２は、回転軸２１と、回転軸２１に固定される羽根車２２と、羽根車２２を収納するポンプケーシング２３と、ポンプケーシング２３を覆うケーシングカバー２４と、を備えている。
【００２０】
回転軸２１は、モータ１１の回転子と直接的又は間接的に接続され、回転子の回転に追従して回転可能に形成されている。回転軸２１は、例えば、モータケーシングにベアリング等の軸受を介して回転自在に支持されている。
【００２１】
羽根車２２は、例えば、ポンプケーシング２３内に挿入可能に形成されている。羽根車２２は、ポンプケーシング２３内で回転することで、水を圧送可能に形成されている。羽根車２２は、例えば、一枚の円板状のシュラウドに羽根が複数設けられたセミオープンタイプのインペラである。
【００２２】
図１に示すように、ポンプケーシング２３は、ポンプ装置１を設置面に設置した状態で下方に配置される吸込口３１と、外周面の一部に形成された吐出口３２と、吸込口３１及び吐出口３２と接続されるポンプ室３３と、モータケーシングと対向する位置に設けられ、ポンプ室３３と連続する開口部３４と、を備えている。また、ポンプケーシング２３は、その下面に、ポンプ装置１を設置させるための複数の脚部３７を備えている。
【００２３】
吸込口３１は、ポンプ装置１の設置面から所定の間隙を有して配置される。吐出口３２は、例えば、ポンプ室３３の径方向の一部に流体的に接続される。吐出口３２は、開口端の軸心方向が上方に向って開口する。吐出口３２には配管が接続される。
【００２４】
ポンプ室３３は、羽根車２２を収納可能に形成されている。また、ポンプ室３３は、羽根車２２によって増圧された液体を吐出口３２に案内可能な、ボリュート形状の流路を形成可能な内周面を有している。
【００２５】
開口部３４は、羽根車２２をポンプ室３３に挿入可能な内径を有している。取付面３５は、ケーシングカバー２４の端面と当接可能に形成されている。
【００２６】
脚部３７は、吸込口３１の周囲に等間隔に複数配置されている。脚部３７は、ポンプ装置１を設置面に設置した状態で、吸込口３１をポンプ装置１の設置面から所定の高さに配置可能な長さに構成される。
【００２７】
ケーシングカバー２４は、ポンプケーシング２３に接続され、ポンプケーシング２３の開口部３４を覆う。ケーシングカバー２４は、モータケーシングに接続される。ケーシングカバー２４は、モータケーシングとともに、シール室１３ａを構成する。ケーシングカバー２４は、その外周面の一部に、シール室１３ａに潤滑剤を供給する供給孔２４ａを有する。供給孔２４ａは、その内周面に雌螺子部が設けられる。脚部３７の下面から供給孔２４ａまでの高さは、Ｈ１よりも若干低い高さに構成される。
【００２８】
シール部材１３は、モータケーシング及びケーシングカバー２４の間に設けられ、回転軸２１とケーシングカバー２４の間を軸封可能に構成される。シール部材１３は、例えばメカニカルシールである。シール部材１３は、モータケーシング及びケーシングカバー２４により構成されるシール室１３ａに収容される。シール室１３ａは、例えば、潤滑剤が充填される。
【００２９】
図１に示すように、フロートスイッチ１４は、一方のポンプ装置１Ａに３つ設けられ、他方のポンプ装置１Ｂに２つ設けられる。双方のポンプ装置１の低位置にそれぞれ設けられたフロートスイッチ１４は、同じ高さＨ１に設置される。一方のポンプ装置１Ａの高位置に設けられる２つのフロートスイッチ１４は、異なる高さＨ２、Ｈ４に設けられる。他方のポンプ装置１Ａの高位置に設けられる１つのフロートスイッチ１４は、Ｈ２よりも高く、且つ、Ｈ４よりも低い高さＨ３に設けられる。ここで、高さＨ２及びＨ３間の距離、並びに、高さＨ３及びＨ４間の距離は、等間隔に構成される。
【００３０】
即ち、双方のポンプ装置１の下方にそれぞれ設けられるフロートスイッチ１４は、各ポンプ装置１の停止用のフロートスイッチ１４である。また、双方のポンプ装置１の上方にそれぞれ設けられるフロートスイッチ１４は、各ポンプ装置１の駆動用のフロートスイッチ１４である。
【００３１】
フロートスイッチ１４は、ケーブル４１と、ケーブル４１の一端に設けられたフロート４２と、フロートスイッチ１４内に設けられ、フロートスイッチ１４の傾斜角度で切り替えられるスイッチと、ケーブル４１の他端に接続されたコネクタと、を備えている。また、フロートスイッチ１４は、ケーブル４１の所定の位置に、ケーブル支持構造１５の後述する支持具５１が一体に固定される。ここで、所定の位置とは、ケーブル支持構造１５により支持される部位であり、フロートスイッチ１４から所定の長さの位置である。
【００３２】
ケーブル４１は、導体素線と、導体素線を被覆する被覆部材と、を備える。ケーブル４１は、その断面形状が円形状に構成される。ケーブル４１は、一端にフロート４２が固定されるとともに、スイッチが電気的に接続される。ケーブル４１は、他端にコネクタが接続される。ケーブル４１は、コネクタを介して、電装部１６に接続される。
【００３３】
図１乃至図４に示すように、ケーブル支持構造１５は、支持具５１と、クリップ５２と、支持部材５３と、支持プラグ５４と、を備えている。ケーブル支持構造１５は、複数のフロートスイッチ１４のケーブル４１を支持可能に構成されている。
【００３４】
支持具５１は、ケーブル４１の所定の位置に固定される。支持具５１は、円柱状の被支持部５１ａと、被支持部５１ａの軸方向の両端にそれぞれ設けられ、被支持部５１ａの外径よりも被支持部５１ａの径方向に大きい外形状を有する一対のフランジ５１ｂと、一方のフランジ５１ｂに設けられたケーブルブーツ５１ｃと、を備える。支持具５１は、被支持部５１ａ、一対のフランジ５１ｂ及びケーブルブーツ５１ｃが一体成形により樹脂材料で構成される。支持具５１は、ケーブル４１に予め一体成形されるか、または、ケーブル４１に一体に固定される。なお、この場合、支持具５１は、例えば、ケーブル４１に、熱収縮によって固定されるか、又は、接着剤により固定される。
【００３５】
フランジ５１ｂは、その外径が被支持部５１ａの外径よりも大径の円盤状に構成される。ケーブルブーツ５１ｃは、ケーブル４１のフロート４２側に配置されたフランジ５１ｂに一体に設けられる。ケーブルブーツ５１ｃは、例えば、フランジ５１ｂ側から所定の長さで突出する円錐台形状に構成される。ケーブルブーツ５１ｃは、その外周面に窪み及び孔が設けられることで、ケーブル４１を支持した状態で、撓むことが可能に構成される。
【００３６】
クリップ５２は、被支持部５１ａを支持可能に構成される。クリップ５２は、被支持部５１ａを内部に配置可能な曲率半径を有し、その一部が被支持部５１ａの外径よりも小さい幅で開口する円弧筒状に構成される。クリップ５２は、開口する端部の軸方向の幅が被支持部５１ａの軸方向の幅よりも大きく構成される。クリップ５２は、端部間に位置する部位の軸方向の幅が被支持部５１ａの軸方向の幅と同一に構成される。
【００３７】
より具体的に説明すると、クリップ５２は、一部が開口する円弧状部５２ａと、円弧状部５２ａの開口端に設けられた一対のリップ５２ｂと、を備えている。円弧状部５２ａの軸方向の幅は、被支持部５１ａの軸方向の幅よりも大きく構成される。円弧状部５２ａは、開口する幅が、ケーブル４１の外径よりも小さく構成される。例えば、円弧状部５２ａの開口幅は、ケーブル４１の半径よりも若干小さい幅で構成される。
【００３８】
リップ５２ｂは、円弧状部５２ａの開口する端部から、例えば、円弧状部５２ａの径方向に沿って延びる。リップ５２ｂは、円弧状部５２ａの軸方向の幅が、被支持部５１ａの軸方向の幅よりも大きく構成される。一対のリップ５２ｂは、円弧状部５２ａの開口する端部から外方に向かって互いに離間する方向に広がる。
【００３９】
支持部材５３は、モータケーシング又は電装部１６に固定される基部６１と、基部６１に固定される、一方向に長いロッド６２と、を備えている。支持部材５３は、ロッド６２に固定された３つのクリップ５２を備える。
【００４０】
基部６１は、基部６１がモータケーシング等に固定されたときに、軸方向が重力方向に配置されるロッド６２を挿通可能な孔部６１ａと、孔部６１ａの軸方向に交差する方向に設けられた螺子穴６１ｂと、螺子穴６１ｂに螺合される所謂ホーローセットやイモネジと呼ばれる止めねじ６１ｃと、を備えている。止めねじ６１ｃは、螺子穴６１ｂに螺合することで、孔部６１ａに挿入されたロッド６２を固定可能に構成される。
【００４１】
ロッド６２は、一端側が基部６１に固定されるとともに、他端側に３つのクリップ５２が等間隔で一体に設けられる。ここで、クリップ５２の間隔は、Ｈ２及びＨ３間の距離、及び、Ｈ３及びＨ４間の距離と同じ距離であり、予め排水装置１００毎に設定される。
【００４２】
ロッド６２に設けられた３つのクリップ５２は、等間隔に配置される。ロッド６２は、例えば、クリップ５２の円弧状部５２ａの軸方向がモータケーシングの径方向に沿うように、孔部６１ａに固定される。ロッド６２は、止めねじ６１ｃで固定される位置を変更することで、基部６１からクリップ５２までの高さが調整される。ロッド６２は、基部６１に固定される部位に、ロッド６２の高さ位置を示す、換言すると、一端側に基部６１に支持される位置を案内する複数のメモリやラインにより構成された表示部６２ａを有する。
【００４３】
支持プラグ５４は、供給孔２４ａに螺合可能な雄螺子部を有し、供給孔２４ａを閉塞するプラグ５４ａと、プラグ５４ａの端部に一体に形成されたクリップ５２と、を備えている。支持プラグ５４は、例えば、クリップ５２の円弧状部５２ａの軸方向がモータケーシングの径方向に沿うように、プラグ５４ａにクリップ５２が一体に配置される。支持プラグ５４に設けられたクリップ５２は、プラグ５４ａを供給孔２４ａに固定したときに、脚部３７からの高さが、Ｈ１と同じ高さとなるように、支持プラグ５４に設けられる。
【００４４】
電装部１６は、カバー７１と、カバー７１内に配置された制御盤７３と、制御盤７３及びモータ１１に接続される電源ケーブル７２と、を備えている。
【００４５】
カバー７１は、一端が閉塞するとともに、電源ケーブル７２及びフロートスイッチ１４のケーブル４１をそれぞれ挿通して固定する一対の固定部７１ａを有する。一対の固定部７１ａは、カバー７１の上面であって、例えば対称位置に設けられた開口と、この開口に挿入され、各ケーブル４１、７２を液密に支持する支持体７１ｂと、を備えている。カバー７１は、例えば、樹脂材料により形成されている。
【００４６】
制御盤７３は、フロートスイッチ１４のＯＮ／ＯＦＦに基づいてモータ１１を所定の回転数で駆動可能に構成される。例えば、制御盤７３は、一方のポンプ装置１Ａの高さ方向で３番目に高い、換言すると最も低い高さＨ１に位置するフロートスイッチ１４がＯＮになっているとともに、２番目に高い高さＨ２に位置する位置のフロートスイッチ１４がＯＮになったときに、一方のポンプ装置１Ａのモータ１１を所定の回転数で駆動可能に構成される。
【００４７】
また、制御盤７３は、他方のポンプ装置１Ｂの高さＨ１及びＨ３のそれぞれに位置する双方のフロートスイッチ１４がＯＮになったときに、他方のポンプ装置１Ｂのモータ１１を所定の回転数で駆動可能に構成される。
【００４８】
制御部７３は、一方のポンプ装置１Ａのモータ１１を所定の回転数で駆動可能に構成され、モータ１１の駆動により排水し、高さＨ１に位置するフロートスイッチ１４がＯＦＦになると、モータ１１を停止し、排水を停止する。
【００４９】
次に、水が流入し、水位が上昇し、ポンプ装置１Ａの高さＨ１及びＨ２に位置するフロートスイッチがＯＮになったときは、制御部７３は、モータ１１を駆動させない。換言すると、ポンプ装置１Ａの制御盤７３は、高さＨ２に位置するフロートスイッチのＯＮ、ＯＦＦを記憶しており、ＯＮ、ＯＦＦ１回おきにモータ１１を駆動可能に構成される。
【００５０】
また、他方のポンプ装置１Ｂの制御盤７３は、高さＨ１及び高さＨ３のそれぞれに位置する双方のフロートスイッチ１４がＯＮになったときにポンプ装置１Ｂのモータ１１を駆動させることで排水し、高さＨ１に位置するフロートスイッチ１４がＯＦＦになると、モータ１１を停止し、排水を停止する。このように、各制御部７３は、一対のポンプ装置１Ａ、１Ｂを交互運転を行うことが可能に構成される。
【００５１】
また、ポンプ装置１Ａのモータ１１が駆動中に排水量よりも流入量が多い場合であって、ポンプ装置１Ｂの高さＨ３に位置するフロートスイッチ１４がＯＮとなった場合には、制御部７３は、ポンプ装置１Ａを駆動し、一対のポンプ装置１Ａ、１Ｂによる並列運転可能に構成される。
【００５２】
同様に、ポンプ装置１Ｂのモータ１１が駆動中に排水量よりも流入量が多い場合であって、ポンプ装置１Ａの高さＨ４に位置するフロートスイッチ１４がＯＮとなった場合には、制御部７３は、ポンプ装置１Ｂを駆動し、一対のポンプ装置１Ａ、１Ｂによる並列運転可能に構成される。なお、これらの理由から、高さＨ２、Ｈ３、Ｈ４に位置するフロートスイッチ１４の位置関係は所定の高さ位置となるように配置されることが求められる。
【００５３】
このように構成された排水装置１００によれば、一対のポンプ装置１のロッド６２が同じ高さ位置で基部６１に固定される。また、フロートスイッチ１４のケーブル４１は、所定の位置に支持具５１が設けられるとともに、支持具５１の被支持部５１ａがクリップ５２に嵌合されることで支持される。また、駆動用のフロートスイッチ１４は、予め所定の間隔でロッド６２に３つ設けられたクリップ５２に固定される。さらに言えば、一方のポンプ装置１Ａの駆動用の２つのフロートスイッチ１４は３つのクリップ５２のうち両端側の２つのクリップ５２に固定され、他方のポンプ装置１Ｂの駆動用の一つのフロートスイッチ１４は、３つのクリップ５２のうち中央のクリップ５２に固定される。
【００５４】
このため、駆動用のフロートスイッチ１４は、それぞれのポンプ装置１Ａ、１Ｂのロッド６２に設けられたクリップ５２にケーブル４１に設けられた支持具５１を嵌め込むだけで、ケーブル１４が一定の位置で固定されるとともに、高さ方向で所定の位置に配置される。これにより、ケーブル１４の支持具５１からフロート４２までの長さが一定となり、フロートスイッチ１４のスイッチの切り替えが一定の傾斜角度で切り替えられる。
【００５５】
また、当該長さが一定となることで、フロートスイッチ１４が他のフロートスイッチ１４と絡まることや、モータ１１、ポンプ１２及び電装部１６等と絡まることを防止できる。これにより、フロートスイッチ１４が誤動作すること、及び、フロートスイッチ１４が所定の水位で作動しないこと等を防止でき、排水装置１００は、確実に水位を検出することが可能となる。また、フロートスイッチ１４は、ケーブル支持構造１５を介してモータ１１又はポンプ１２へ取り付けるときに、フロート４２から固定位置までの長さを寸法測定する必要がなく、高い作業性を有する。
【００５６】
また、ケーブル支持構造１５は、支持具５１の被支持部５１ａの両端にフランジ５１ｂを設けるとともに、クリップ５２の円弧状部５２ａの開口から被支持部５１ａを挿入することで、クリップ５２により支持具５１が支持されるとともに、軸方向の支持具５１の移動が、フランジ５１ｂにより規制される構成である。このため、容易に支持具５１をクリップ５２により支持することが可能となるため、フロートスイッチ１４を簡単に取り付けることが可能となる。このため、ポンプ装置１は、作業性がよい。
【００５７】
また、支持具５１は、フロート４２側のフランジ５１ｂに、ケーブルブーツ５１ｃを有することから、ケーブル４１の屈曲性能が向上する。即ち、水位変位によってフロート４２が上下移動し、支持具５１を支点にケーブル４１が屈曲しても、屈曲により生じる応力が分散され、ケーブル４１内の導体素線が断線することを防止できる。
【００５８】
また、ケーブル支持構造１５は、ケーブル４１に一体に設けられた支持具５１、並びに、ロッド６２及びプラグ５４ａに一体に設けられたクリップ５２により構成される。また、支持具５１は、クリップ５２に嵌合することで固定される構成である。このため、従来のクランプを用いた構成に比べ、部品点数が少なく、また、組立も容易である。
【００５９】
さらに、クリップ５２は、一対のリップ５２ｂが円弧状部５２ａから離間するに従い離間する幅が広がるように構成されるとともに、その幅が被支持部５１ａの幅よりも広く構成される。このため、支持具５１をクリップ５２に嵌合させるときに、被支持部５１ａを一対のリップ５２ｂ間に配置して押し込むことで、リップ５２ｂ間の幅が広がり、被支持部５１ａを円弧状部５２ａに案内することが可能となり、高い作業性を有する。また、ポンプ装置１を駆動する水位は、基部６１に対してロッド６２の高さを変更するだけで簡単に調整できることから、高い作業性を有する。
【００６０】
また、円弧状部５２ａに嵌合した支持具５１がクリップ５２の開口側に外力等によって移動すると、一対のフランジ５１ｂがリップ５２ｂに当接して、支持具５１がクリップ５２から抜ける方向に移動することを規制できる。これにより、クリップ５２に支持具５１を取り付けた後に、支持具５１がクリップ５２から抜けることを防止できることから、確実にケーブル４１をロッド６２又はプラグ５４ａに固定することができる。
【００６１】
また、ポンプ装置１を駆動する水位は、基部６１に対してロッド６２の高さを変更するだけで簡単に調整できるとともに、フロートスイッチ１４の高さ方向の位置は、一定に設定できることから、容易にフロートスイッチ１４を支持することができる。
【００６２】
さらに、排水装置１００は、異なる数のフロートスイッチ１４を有する一対のポンプ装置１を備える構成であっても、支持具５１を共用できることから、一対のポンプ装置１に同一の部品を用いることが可能となり、製造コストを低減できる。
【００６３】
上述したように、本発明の一実施形態に係る排水装置１００によれば、フロートスイッチ１４を容易に所定の位置で支持可能となる。
【００６４】
なお、本発明は前記実施形態に限定されるものではない。例えば、上述した例では、ポンプ装置１にケーブル支持構造１５を設ける構成を説明したがこれに限定されず、フロートスイッチ１４を用いる構成であれば、ポンプ装置１以外にもケーブル支持構造１５を用いてケーブル４１を支持可能である。同様に、ケーブル支持構造１５は、フロートスイッチ１４のケーブル４１に限られず、他のケーブルを支持することが可能となる。
【００６５】
また、支持具５１は、一方のフランジ５１ｂにケーブルブーツ５１ｃを有する構成を説明したがこれに限定されず、双方のフランジ５１ｂにそれぞれケーブルブーツ５１ｃを設ける構成であってもよい。
【００６６】
また、上述した例では、排水装置１００は汚水槽２００に配置する構成を説明したがこれに限定されず、下水道等に配置されていても良く、また、排水する水は汚水に限定されない。また上述した例では、排水装置１００は、水位に応じて一方のポンプ装置１を運転する構成及び双方のポンプ装置１を並列に運転する構成を説明したが、例えば、双方のポンプ装置１を交互に運転する構成であってもよい。即ち、排水装置１００は、一対のポンプ装置１を並列又は交互に運転する構成でよい。
【００６７】
また、上述の排水装置１００は、一対のポンプ装置１を備える構成を説明したが、これに限定されず、一台のポンプ装置１により構成されていてもよい。一台のポンプ装置１とした場合であっても、支持具５１を共用できることから、製造コストを低減できる。また、ポンプ装置１を駆動する水位は、基部６１に対してロッド６２の高さを変更するだけで簡単に調整できるとともに、フロートスイッチ１４の高さ方向の位置は、一定に設定できることから、容易にフロートスイッチ１４を支持することができる。この他、本発明の要旨を逸脱しない範囲で種々変形実施可能である。
【符号の説明】
【００６８】
１…ポンプ装置、１１…モータ、１２…ポンプ、１３…シール部材、１３ａ…シール室、１４…フロートスイッチ、１５…ケーブル支持構造、１６…電装部、２１…回転軸、２２…羽根車、２３…ポンプケーシング、２４…ケーシングカバー、２４ａ…供給孔、３１…吸込口、３２…吐出口、３３…ポンプ室、３４…開口部、３５…取付面、３７…脚部、４１…ケーブル、４２…フロート、５１…支持具、５１ａ…被支持部、５１ｂ…フランジ、５１ｃ…ケーブルブーツ、５２…クリップ、５２ａ…円弧状部、５２ｂ…リップ、５３…支持部材、５４…支持プラグ、５４ａ…プラグ、６１…基部、６１ａ…孔部、６１ｂ…螺子穴、６１ｃ…止めねじ、６２…ロッド、７１…カバー、７１ａ…固定部、７１ｂ…支持体、７２…電源ケーブル、７３…制御盤、１００…排水装置、１１０…排水管、２００…汚水槽。
【図１】
2018076850.tif 000003
【図２】
2018076850.tif 000004
【図３】
2018076850.tif 000005
【図４】
2018076850.tif 000006
【図５】
2018076850.tif 000007